(57)【要約】【課題】調理パンの全領域に向かってムラのない分布で熱源を多重照射すること、および、熱源の調理パンへの伝達効率を向上させることを可能にする。【解決手段】調理パンが上端に置かれる機器本体と、前記調理パンに均一に熱が照射されるように前記機器本体上側に支柱を媒介に設置されて前記支柱に結合される加熱ヘッドと、前記支柱に組み立てられたまま前記支柱の長さ方向に沿って移動することで前記加熱ヘッドの高低を調節するレベル調整装置と、を備える、熱源多重照射型赤外線調理器が提供される。【選択図】図１
2018126514.tif 000002
【特許請求の範囲】
【請求項１】
調理パンが上端に置かれる機器本体と、
前記調理パンに均一に熱が照射されるように前記機器本体上側に支柱を媒介に設置されて前記支柱に結合される加熱ヘッドと、
前記支柱に組み立てられたまま前記支柱の長さ方向に沿って移動することで前記加熱ヘッドの高低を調節するレベル調整装置と、を備える、
熱源多重照射型赤外線調理器。
【請求項２】
前記加熱ヘッドの内側の形状に対応する形状を有する発熱体と、
前記発熱体を取り囲み、開口方向が下方へ向くことで、前記発熱体から放射される輻射熱が反射して下方へ向かうように前記加熱ヘッドの内側に形成された反射板をさらに備える、
請求項１に記載の熱源多重照射型赤外線調理器。
【請求項３】
前記支柱は、前記機器本体上に起立した状態で設置され、前記レベル調整装置の上下移動の際の位置固定に使用される複数の溝が所定間隔で長さ方向に沿って形成される、
請求項１または２に記載の熱源多重照射型赤外線調理器。
【請求項４】
前記レベル調整装置は、前記加熱ヘッドと組み立てられて一体化したまま前記支柱の長さ方向に沿って移動し、
前記支柱の外周面一側には前記支柱の長さ方向に沿って所定長の第一のギアが形成され、
前記レベル調整装置の内部には前記第一のギアと噛み合う第二のギアが形成され、
前記第二のギアを回転させる駆動モーターが駆動軸を介して前記第二のギアに軸結合される、
請求項１または２に記載の熱源多重照射型赤外線調理器。
【請求項５】
前記レベル調整装置は、前記加熱ヘッドと組み立てられて一体化し、前記支柱の外径の一部分を取り囲んだまま前記支柱の長さ方向に沿って移動し、
前記支柱を取り囲む内側には前記支柱に形成された溝に引込まれるように前記溝に対応する浸透部が突出したロッキング部材が形成される、
請求項３に記載の熱源多重照射型赤外線調理器。
【請求項６】
前記レベル調整装置は、前記加熱ヘッドと組み立てられて一体化し、
前記支柱を保持する内側には前記支柱に形成された溝に引込まれるように前記溝に対応する浸透部が突出したロッキング部材が形成される、
請求項３に記載の熱源多重照射型赤外線調理器。
【発明の詳細な説明】
【技術分野】
【０００１】
本発明は、熱源多重照射型赤外線調理器に関する。
【背景技術】
【０００２】
経済（ｅｃｏｎｏｍｙ）が発展しながら所得水準が全般的に向上して、これに伴い食品消費のパターンも変わっている。特に、食品技術が変化・発展するにつれ、加工食品と外食産業が発達して、利用率も共に増加している。我々の食生活で最も顕著な変化のうちの一つとして穀類摂取の減少と肉類摂取の増加が挙げられる。
【０００３】
さらに、近年ウェルビーング（ｗｅｌｌ−ｂｅｉｎｇ）、健康な食生活、各種成人病予防などに関する消費者の関心と各種マスコミの広報などにより、肉類（ｍｅａｔ）購買と外食時に牛肉、豚肉の他に鴨肉、鶏肉などを好む傾向が明らかにされている。
【０００４】
これと関連して、ウェルビーイングの観点で解釈した赤外線加熱調理器（以下、「赤外線調理器」という）が大きな人気を集めており、当該赤外線調理器は、赤外線（Ｉｎｆｒａｒｅｄ  ｒａｙ）を加熱調理の熱源（ｈｅａｔ  ｓｏｕｒｃｅ）として活用したもので、赤外線が料理材料（ｃｏｏｋｉｎｇ  ｍａｔｅｒｉａｌ）を直接加熱して焼く加熱方式であるため、他の製品より調理効率が良く調理速度が速いのが大きい長所である。特に、肉類を焼く時に、肉が調理板に（以下、「調理パン」という）に付着したり焦げたり煙が出たり臭いが激しかったり油が飛んだりする問題を解決して、従来の熱源に比べて熱効率、安全性、無毒無臭などの長所を有する。
【０００５】
このような技術的思想を基盤に、以下の特許文献１によって、赤外線ランプが調理用回転パンの上に赤外線を直接照射して料理材料の表面を焦がしたり煙を発生させたりせず加熱を行うことができる赤外線加熱調理器が開示された。従来の赤外線加熱調理器によると、赤外線照射部（加熱ヘッド）に装着された赤外線ランプが回転パン（調理パン）に乗せられた料理材料に赤外線を直接照射して料理材料の上部と内部を加熱し、同時に前記赤外線ランプによって加熱した回転パンが料理材料の下部を直接加熱する両方向加熱方式であって、料理材料を焦がさず全体的にムラなく焼く効果がある。
【先行技術文献】
【特許文献】
【０００６】
【特許文献１】韓国登録特許第１０−０８３３９６６号公報
【発明の概要】
【発明が解決しようとする課題】
【０００７】
しかし、熱源を単に上から下方にだけ下方照射する当該赤外線照射部の構造的特性上、回転パンの中央領域に乗せられた料理材料にだけ赤外線が集中的に照射されることによって、回転パンの中央領域と周辺領域（周縁）に温度差が生じて、周辺領域の料理材料については、相対的に焼きが足りない場合があった。
【０００８】
そこで、回転パンに乗せられた全ての料理材料を効率的に焼くのに限界があり、調理過程における利便性が低下することによって、調理に長時間を要するようになり、その結果調理された食べ物の風味（ｔｅｘｔｕｒｅ  ｏｆ  ｆｏｏｄ）が落ちるという問題点もあった。
【０００９】
そこで、本発明は、上記問題に鑑みてなされたものであり、本発明の目的とするところは、これらの諸問題を解決するためのもので、発熱体が内側に備えられた加熱ヘッドの構造をドーナツ形状にすることで、当該発熱体の熱源が機器の外側へ広範囲に放出されて調理パンの全領域に向かってムラのない分布で多重照射されるようにする、新規かつ改良された熱源多重照射型赤外線調理器を提供することにある。
【００１０】
また、本発明の他の目的は、加熱ヘッドと一体に結合され機器本体上に起立した支柱に組み立てられた状態で、支柱に沿って上下に移動可能なレベル調整装置を備え、レベル調整装置によって加熱ヘッドを調理パンに近接させ、加熱ヘッドの発熱体から照射される熱源が調理パンに効率的に伝達されるようにする、新規かつ改良された熱源多重照射型赤外線調理器を提供することにある。
【課題を解決するための手段】
【００１１】
上記課題を解決するために、本発明のある観点によれば、調理パンが上端に置かれる機器本体と、前記調理パンに均一に熱が照射されるように前記機器本体上側に支柱を媒介に設置されて前記支柱に結合される加熱ヘッドと、前記支柱に組み立てられたまま前記支柱の長さ方向に沿って移動することで前記加熱ヘッドの高低を調節するレベル調整装置と、を備える、熱源多重照射型赤外線調理器が提供される。
【００１２】
前記加熱ヘッドの内側の形状に対応する形状を有する発熱体と、前記発熱体を取り囲み、開口方向が下方へ向くことで、前記発熱体から放射される輻射熱が反射して下方へ向かうように前記加熱ヘッドの内側に形成された反射板がさらに備えられてもよい。
【００１３】
前記支柱は、前記機器本体上に起立した状態で設置され、前記レベル調整装置の上下移動の際の位置固定に使用される複数の溝が所定間隔で長さ方向に沿って形成されてもよい。
【００１４】
前記レベル調整装置は、前記加熱ヘッドと組み立てられて一体化したまま前記支柱の長さ方向に沿って移動し、前記支柱の外周面一側には前記支柱の長さ方向に沿って所定長の第一のギアが形成され、前記レベル調整装置の内部には前記第一のギアと噛み合う第二のギアが形成され、前記第二のギアを回転させる駆動モーターが駆動軸を介して前記第二のギアに軸結合されてもよい。
【００１５】
前記レベル調整装置は、前記加熱ヘッドと組み立てられて一体化し、前記支柱の外径の一部分を取り囲んだまま前記支柱の長さ方向に沿って移動し、前記支柱を取り囲む内側には前記支柱に形成された溝に引込まれるように前記溝に対応する浸透部が突出したロッキング部材が形成されてもよい。
【００１６】
前記レベル調整装置は、前記加熱ヘッドと組み立てられて一体化し、前記支柱を保持する内側には前記支柱に形成された溝に引込まれるように前記溝に対応する浸透部が突出したロッキング部材が形成されてもよい。
【発明の効果】
【００１７】
以上説明したように本発明によれば、調理パンの全領域に向かってムラのない分布で熱源を多重照射すること、および、熱源の調理パンへの伝達効率を向上させることが可能となる。
【図面の簡単な説明】
【００１８】
【図１】本発明に係る熱源多重照射型赤外線調理器の全体構成を示した斜視図である。
【図２】本発明に係る熱源多重照射型赤外線調理器において、加熱ヘッドの構成を示した要部断面図である。
【図３】本発明に係る熱源多重照射型赤外線調理器において、レベル調整装置の構成を示した要部拡大断面図である。
【図４】本発明に係る熱源多重照射型赤外線調理器において、加熱ヘッドの下降状態を示した動作例示図である。
【図５】本発明に係る熱源多重照射型赤外線調理器において、レベル調整装置の他の構成を示した要部拡大断面図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
図１は本発明に係る熱源多重照射型赤外線調理器の全体構成を示した斜視図であり、図２は本発明に係る熱源多重照射型赤外線調理器において加熱ヘッドの構成を示した要部断面図であり、図３は本発明に係る熱源多重照射型赤外線調理器においてレベル調整装置の構成を示した要部拡大断面図であり、図４は本発明に係る熱源多重照射型赤外線調理器において加熱ヘッドの下降状態を示した動作例示図である。
【００２１】
以下添付図面を参照して、本発明の一実施例を説明する。図１に図示したように、本発明に係る熱源多重照射型赤外線調理器（Ａ）は、調理しようとする各種食材料（以下、「料理材料」という）を載せられる調理パン１０が上端に置かれる機器本体１と、当該機器本体１上側に離隔配置された状態で高温の熱源を下へ照射して調理パン１０の上に置かれた料理材料が加熱調理されるようにドーナツ（Ｄｏｕｇｈｎｕｔ）形状を有しており機器外側での広範囲熱源照射ができるようにした加熱ヘッド２と、機器本体１上に起立（ｓｔａｎｄ
ｕｐ）した状態で備えられて加熱ヘッド２を機器本体１上に離隔させて装着できるように構成された支柱３と、加熱ヘッド２と一体で連係結合されて支柱３に連係して組み立てられた状態で支柱３の長さ方向に沿って上、下移動することで加熱ヘッド２の高低が調節されるようにするレベル調整装置４を含んで構成される。
【００２２】
機器本体１は、機器構成（ｅｑｕｉｐｍｅｎｔ  ｒｅｑｕｉｒｅｍｅｎｔ）及び機器作動（Ｅｑｕｉｐｍｅｎｔｏｐｅｒａｔｉｏｎ）のベース構造体であって、関連装置が内蔵されて、電源供給のＯＮ／ＯＦＦと共に加熱ヘッド２から照射される熱源の放出量を段階的に調節できるコントローラー（Ｊｏｇ  ＆  ｓｈｕｔｔｌｅ）１１が外部にさらに備えられるのが好ましい。
【００２３】
加熱ヘッド２は、高温の熱源を放出させて調理パン１０に乗せられている料理材料が加熱調理されるようにするための加熱装置であり、図２に図示されたように、灯笠２１がドーナツ形状を有することにより、灯笠２１の内に収容される発熱体２０もリング（ｒｉｎｇ）形状を有する。但し加熱ヘッド２は必ずしもこのような形状に限定されるのではなく、加熱ヘッド２と支柱３の結合方式に応じて、丸い円板形状の加熱ヘッド２に支柱３が貫通する態様も本発明の一実施例に属する。
【００２４】
ここで、発熱体２０には、調理パン１０上の料理材料を煮て焼く加熱調理に適した光線で、可視光線や紫外線に比べて強い熱作用を有している赤外線（ｉｎｆｒａｒｅｄ  ｒａｙ）が放出される赤外線ランプ（ｉｎｆｒａｒｅｄ
ｌａｍｐ）が用いられることが好ましいが、必ずしもこれに限定されるのではなく熱を放射できるものであれば遠赤外線ヒーターやシーズヒーターまたは抵抗熱線などが使用されてもよい。
【００２５】
尚、発熱体２０と灯笠２１との間には、輻射熱の放射のための金属材質（ステンレス材質を含む）反射板２１１が備えられるのが好ましい。この反射板２１１は、発熱体２０を取り囲み、逆「Ｕ」字形でその開口方向が下方に向かって発熱体２０から放射される輻射熱が反射して下方へ向かうように加熱ヘッド２の内側に位置する。
【００２６】
これを詳しく説明すると、加熱ヘッド２の内側に灯笠２１が位置して、この灯笠２１の内側に反射板２１１が位置するが、発熱体２０を中心に見ると発熱体２０と灯笠２１との間に反射板２１１が位置することになる。もちろん、反射板２１１の位置は多様に変更されてもよく、加熱ヘッド２の形状及び発熱体２０の形状に応じて多様にその位置が変更され得ることは明らかである。
【００２７】
これは、赤外線ランプ、遠赤外線ヒーター、シーズヒーターまたは抵抗熱線などからなる発熱体２０から放射された熱を調理パン１０に十分に照射して熱の放射効果を最大化するためである。これにより料理材料が早く加熱調理されるようになると共に、加熱調理時に料理材料に熱源がムラなく入射すると同時に深く浸透するようにして温熱効果（ｔｈｅｒｍａｌ
ｅｆｆｅｃｔ）を発揮することができる。
【００２８】
また、前記反射板２１１の開口方向が逆「Ｕ」字形で具現されて調理パン１０の中央部に対向するようにすることで、機器の外側に位置された発熱体２０から放出される熱源及び輻射熱が調理パン１０の中央領域には勿論、周辺領域にまでムラなく照射されるようにする。
【００２９】
さらに、灯笠２１の内側リム（ｒｉｍ）部位からは加熱ヘッド２とレベル調整装置４を一つに連結する複数の支持具２２が備えられる。これにより、レベル調整装置４により調理パン１０の上側に加熱ヘッド２の離隔配置が可能となる。
【００３０】
但し、本発明の一実施例では複数の支持具２２を利用して支柱３と加熱ヘッド２との空間を確保したが、必ずしもこのような形状に限定されるのではなく、支持具２２自体が省略されたまま支柱３と加熱ヘッド２が組み立てられてもよい。
【００３１】
このような場合には、図面には図示されていないが、加熱ヘッド２の内部に支柱３と結合できる所定空間が備えられる。支柱３は、加熱ヘッド２の装着及び離隔配置の状態を維持するための支持体であり、前述してさらに図３に図示したように、機器本体１の中央上端から一定高さを形成するように垂直に構成され、上側部にはレベル調整装置４の上、下移動及びその移動停止状態での位置固定のための溝３１が長さ方向に沿って連続で形成されている。
【００３２】
レベル調整装置４は、加熱ヘッド２を支柱３に装着し、さらに高さ調節ができるようにするためのもので、図３に図示されたように、支柱３を取り囲み組むように組み立てられた状態で支柱３の長さ方向に沿って移動できる形態のハブリング（ｈｕｂ  ｒｉｎｇ）であるのが好ましい。但し、レベル調整装置４は、支柱３の一地点の外径全部を取り囲まず外径の一部分を取り囲んだまま具現されてもよいことは勿論、場合によってはその裏面を両側で保持する形で具現されたまま組み立てられて支柱３の長さ方向に移動できるように具現されてもよい。
【００３３】
支柱３を取り囲む内側では、溝３１に対応挿入されるように尖った形状の浸透部（４１１）が突出したロッキング部材４１が形成されている。ここで、ロッキング部材４１は、浸透部４１１が溝３１に挿入されたり抜け出たりする際に伝達される外力に有機的に対応できる弾性を有する素材からなるのが好ましく、場合によってはロッキング部材を別途の部品にして、弾性を有するスプリング素材が代りに使用されてもよい。
【００３４】
一方、図５は、本発明に係る熱源多重照射型赤外線調理器において、レベル調整装置４の他の構成を示した要部拡大断面図で、レベル調整装置４の構造を上記と異なるものにして、加熱ヘッド２の高さ調節を使用者の選択により手動化したり自動化（電動式）したりすることもできる。このために、図５に図示したように、レベル調整装置４は、使用者の手動または自動による回転運動を直線運動に変える第一のギア（ｒａｃｋ）４２と第二のギア（ｐｉｎｉｏｎ）４３、そして自動で具現される場合、第二のギア４３の回転力を与えるための駆動モーター４４を備える。
【００３５】
この時、自動で具現される作動過程を具体的に見ると次の通りである。支柱３の一側外面に第一のギア（ｒａｃｋ）４２を上下の長さ方向に備え結合して、レベル調整装置４の内部一側には第一のギア４２に噛み合う第二のギア（ｐｉｎｉｏｎ）４３が備えられて、駆動軸に軸結合した第二のギア４３が駆動モーター４４の回転駆動によって正方向または逆方向に回転できるようにすることによってレベル調整装置４が上下移動をすることによって加熱ヘッド２の高低調節が可能となる。さらに、駆動モーター４４の位置調整のための操作レバー４５がレベル調整装置４の外部に露出するように備えられて、操作レバー４５を用いて使用者が物理的或いは機械的加圧などの作動方法による駆動モーター４４の位置移動を行うことで第一のギア４２と第二のギア４３相互間のギアの噛み合い状態を解除することで、レベル調整装置４の上下移動を使用者が直接手動で行えるようになる。
【００３６】
この時、操作レバー４５の物理的或いは機械的加圧などの作動方法は使用者の操作によって行われるだけでなく、電気的なスイッチ操作等によって行われてもよい。
【００３７】
さらに、操作レバー４５には、外部圧力喪失時に駆動モーター４４が元の位置に復帰するようにすることによって、第一のギア４２と第二のギア４３のギアの噛み合い状態が再び維持されるようにするための弾性スプリング４６がさらに備えられるのが好ましい。
【００３８】
未説明記号「４０」は、レベル調整装置４の上下移動のために手で掴むことができるように構成された把持部で、「θ」は発熱体２０から放出されて調理パン１０に照射される熱源の照射範囲である。
【００３９】
上記のような構成の本発明に係る熱源多重照射型赤外線調理器（Ａ）の作用を具体的に説明すると下記のとおりである。
【００４０】
まず、料理材料を乗せた調理パン１０を機器本体１の上に置いた状態で、調理の開始のために機器本体１のコントローラー１１を操作して電源の供給及びこれにより加熱ヘッド２の発熱体２０から赤外線（熱源）が放出されるようにすることで、時間が過ぎるにつれ調理パン１０に乗せられた料理材料が赤外線によって加熱調理されるようにする。ここで、上記で説明したように、加熱ヘッド２がドーナツ形状を有していることで、機器の外側に発熱体２０が位置された状態で熱源（赤外線）が放出され、灯笠２１の内側にさらに備えられた反射板２１１により放出される熱源が機器本体１上に置かれた調理パン１０の中央部に向けて照射される。
【００４１】
尚、前述したように調理パン１０に照射される熱源については、図２に図示されたように、支柱３の最上部と近接した位置に加熱ヘッド２が配置されている場合、ドーナツ形状の加熱ヘッド２及びその内側に備えられるリング形状の発熱体２０の構造的特性により、調理パン１０全体部位に熱源の照射範囲（θ）が広範囲に分布して調理パン１０領域の全般にわたって熱源が均衡的に多重照射されることによって、調理パン１０に乗せられた料理材料全体がムラなく焼けるため、加熱調理の性能が大きく向上する。
【００４２】
そして、図４に図示されたように、加熱ヘッド２の高さを低くすることで、発熱体２０から放出される熱源の照射の効率性を最大化させることができる。これは、レベル調整装置４を下方移動させ加熱ヘッド２を下降させることで可能となる。
【００４３】
この時、ロッキング部材４１の浸透部４１１が、レベル調整装置４が下方移動する過程で、支柱３の周りに形成された溝３１によって段階的に移動し、移動が停止した位置に形成されたいずれか一つの溝３１に浸透部４１１の尖った部位が挿入されることによってレベル調整装置４が固定される。これにより、加熱ヘッド２もその位置を維持することができる。
【００４４】
これにより、加熱ヘッド２と調理パン１０が相互近接した状態になり、結果的に調理パン１０上の料理材料が速くかつ効率的に加熱調理されることができる。まとめると、本発明に係る調理パンの位置調整及び偏心回動が可能な調理パン回転式赤外線調理器（Ａ）は、機器外側で熱源が広範囲に放出されてムラのない分布で多重照射されることによって、調理パン１０の中央領域だけでなく周辺領域にまで熱源の照射が均衡になるのはもちろんのこと、同じ領域への重複的な熱源の照射が行われることで、結果的に調理パン１０に乗せられている料理材料全体をムラなく焼く（または煮る）という効率的な加熱調理が可能になる効果を上げることができる。
【００４５】
また、レベル調整装置４の上下移動による加熱ヘッド２の高低調節によって調理パン１０と加熱ヘッド２が互いに近接した状態になるようにすることで、発熱体２０から照射される熱源伝達の効率性が大きく向上する効果を上げることができる。
【００４６】
一方、本発明の一実施例ではいわゆるドーナツ形状の加熱ヘッド２を基準に説明したが、必ずしもこの形状に限定されるのではなく、その中央が開放されている四角形、楕円形などの形状も適用可能である。また、加熱ヘッド２の中央の部分が開放されず支柱３が貫通する程度の孔を介して作動する形式も本発明の一実施例に属することができる。
【００４７】
また、本発明の一実施例では第一のギア４２と第二のギア４３をラックギアとピニオンギアとして説明したが、必ずしもこれに限定されるのではなく、支柱３に沿って上下に移動できる構造ならば複数のねじ山が雄雌構造でそれぞれ支柱３の外周面とレベル調整装置４の内部に形成されることで本発明が適用されてもよい。
【００４８】
上記のように形成された本発明に係る熱源多重照射型赤外線調理器によると下記の多様な効果が具現される。
【００４９】
第一に、本発明の熱源多重照射型赤外線調理器においては、発熱体２０（ランプ）が灯笠２１の中央に位置してそこから放出される熱源が調理パン１０の中央部にだけ集中照射されるのと異なって、発熱体２０が内側に備えられる加熱ヘッド２の構造がドーナツ形状を成すことで、熱源が機器の外側に広範囲に照射されて、調理パン１０の中央領域だけでなくすべての周辺領域にまで均衡よく照射されることによって、結果的に調理パン１０上に乗せられた料理材料を焼く加熱調理の効率が大きく向上する効果を得ることができる。
【００５０】
第二に、レベル調整装置４の上下移動による加熱ヘッド２の高低調節によって、加熱ヘッド２が調理パン１０により近く配置されるため、熱源の照射力が向上することで結果的に料理材料を焼く（または煮る）加熱調理性能が最大化される効果を得ることができる。
【００５１】
第三に、前述した様々な効果によって使用者の利便性が向上し、消費者購買満足度が向上することによって製品競争力が向上するとともに、製造販売業者の利益が増大し、関連産業の発展及び活性化に大きく寄与できるなどの効果が具現される。
【００５２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５３】
Ａ      赤外線調理器
１      機器本体
２      加熱ヘッド
３      支柱
４      レベル調整装置
１０      調理パン
１１      コントローラー
２０      発熱体
２１      灯笠
２２      支持具
３１      溝
４０      把持部
４１      ロッキング部材
４２      第一のギア
４３      第二のギア
４４      駆動モーター
４５      操作レバー
４６      弾性スプリング
２１１      反射板
４１１      浸透部
【図１】
2018126514.tif 000003
【図２】
2018126514.tif 000004
【図３】
2018126514.tif 000005
【図４】
2018126514.tif 000006
【図５】
2018126514.tif 000007